(57)【要約】【課題】糞尿の発熱処理に適応して衛生的に廃棄して、使い捨て可能な簡易便器を安価に提供し、糞尿処理簡易便器セットおよび簡易便器の使用方法を提供する。【解決手段】容器状に成形され、少なくとも糞尿が接触する内面が撥水性を有する撥水素材で形成された内材と、内材の外側に配置される耐熱性又は断熱性を有する外材と、を備えた簡易便器１である。【選択図】図１
2009011448.tif 000002
【特許請求の範囲】
【請求項１】
容器状に成形され、少なくとも糞尿を受ける内面が撥水性を有する撥水素材で形成された内材と、該内材の外側に配置される耐熱性又は断熱性を有する外材と、を備えてなることを特徴とする簡易便器。
【請求項２】
可燃性素材により形成された容器内に、前記外材を介して、前記内材を内装したことを特徴とする請求項１に記載の簡易便器。
【請求項３】
前記容器は蓋体を備え、該蓋体には前記容器内に投入される糞尿処理剤の撹拌開口部が開設されていることを特徴とする請求項２に記載の簡易便器。
【請求項４】
前記蓋体は、内蓋と、当該内蓋を上から覆う外蓋とを有し、前記内蓋及び前記外蓋の各一辺は前記容器の開口部にそれぞれ連接されていることを特徴とする請求項３に記載の簡易便器。
【請求項５】
前記内蓋と前記外蓋との間には、吸水材及び活性炭を配置するための空間が形成されていることを特徴とする請求項４に記載の簡易便器。
【請求項６】
前記蓋体は、前記容器と分離して形成されていることを特徴とする請求項３に記載の簡易便器。
【請求項７】
前記蓋体には、活性炭の挿入開口部が開設されていることを特徴とする請求項６に記載の簡易便器。
【請求項８】
前記内材が容器として折り畳み成形され、前記外材が既設便器内に内装可能な袋体であることを特徴とする請求項１に記載の簡易便器。
【請求項９】
前記内材の撥水面でない側の面に、前記外材が層状に形成され、これらが容器として折り畳み成形されることを特徴とする請求項１に記載の簡易便器。
【請求項１０】
前記撥水素材は、一方の面に樹脂層を有する可燃性素材であることを特徴とする請求項１から請求項９のいずれか１項に記載の簡易便器。
【請求項１１】
前記外材は、８０℃以上４５０℃以下の温度において難燃性を有する素材を有することを特徴とする請求項１から請求項１０のいずれか１項に記載の簡易便器。
【請求項１２】
請求項１から請求項１１のいずれか１項に記載の簡易便器と、該便器内に受けた糞尿を発熱処理する糞尿処理剤と、を備えていることを特徴とする糞尿処理簡易便器セット。
【請求項１３】
請求項５に記載の簡易便器と、該便器内に受けた糞尿を発熱処理する糞尿処理剤と、吸水材と、活性炭と、を備えていることを特徴とする糞尿処理簡易便器セット。
【請求項１４】
前記糞尿処理剤が、少なくとも、疎水性の被覆剤で表面処理した生石灰および発熱剤を含む粉体剤であることを特徴とする請求項１２または請求項１３に記載の糞尿処理簡易便器セット。
【請求項１５】
請求項１に記載の簡易便器に糞尿を受け、該便器内の糞尿と糞尿処理剤とを混合して、発熱反応により糞尿を処理することを特徴とする簡易便器の使用方法。
【請求項１６】
請求項５に記載の簡易便器に糞尿を受け、前記内蓋を閉じて当該内蓋の上に吸水材を載せると共に、当該吸水材の上に活性炭を載せ、当該活性炭の上から前記外蓋を閉じ、該便器内の糞尿と糞尿処理剤とを混合して、発熱反応により糞尿を処理することを特徴とする簡易便器の使用方法。
【請求項１７】
前記簡易便器を既設便器の便座内に配置することを特徴とする請求項１５または請求項１６に記載の簡易便器の使用方法。
【請求項１８】
前記簡易便器の前記外材を既設便器内に内装した後、該外材内に前記内材を配置して糞尿を受け、前記糞尿処理剤により糞尿を処理することを特徴とする請求項１５に記載の簡易便器の使用方法。
【請求項１９】
前記糞尿処理剤により糞尿を発熱処理する際に、前記簡易便器の上部開口部を蓋体で覆うことを特徴とする請求項１５に記載の簡易便器の使用方法。
【請求項２０】
前記糞尿処理剤が、少なくとも、疎水性の被覆剤で表面処理した生石灰および発熱剤を含む粉体剤であることを特徴とする請求項１５から請求項１９のいずれか１項に記載の簡易便器の使用方法。
【発明の詳細な説明】
【技術分野】
【０００１】
本発明は、使い捨ての簡易便器、糞尿処理簡易便器セットおよびその使用方法に係り、より詳しくは、例えば疎水性の被覆剤で表面処理した生石灰および発熱剤を含む糞尿処理剤を用いて、便器に受けた糞尿の発熱処理が可能な簡易便器、糞尿処理簡易便器セットおよび簡易便器の使用方法に関する。
【背景技術】
【０００２】
地震等の災害による長期の停電および断水時等においては、トイレットが使用できなくなり、各家庭では糞尿が大量に溜まってしまう。大量に溜まった糞尿からは悪臭が発散し続け、そのままにしておくと、その臭気により生活環境が著しく悪化してしまう。
【０００３】
このような災害時には、例えば、糞尿をプラスチック製の袋に入れ、密封状態でとりあえず保管しておく方法等が採られているが、プラスチック製の袋は破損し易いため、保管中に破損して糞尿が漏れ出し、周囲に悪臭を発散させてしまう等の問題がある。また、プラスチック製の袋内で糞尿が時間とともに腐敗し、溜まった臭気ガスの圧力で袋内から臭気ガスが漏れ出てしまう等の問題もある。
【０００４】
そこで、ダンボール紙製の組み立て構造体を使い捨ての簡易便器（簡易トイレット）とすること（特許文献１参照）や、木製や紙製等の枠体内にポリエチレン袋等の袋体を内装したものを簡易便器とし、糞尿を受ける袋体を使い捨てること（特許文献２および３参照）などが提案されている。
【０００５】
また、糞尿を積極的に処理する方法としては、おが屑中に糞尿を導入し、おが屑および糞尿ともども攪拌して、糞尿中の微生物により糞尿を処理する方法（特許文献４参照）や、生石灰の微粒子の表面を高級脂肪酸、その塩およびそのエステルからなる群より選ばれた少なくとも１種の被覆剤で被覆してなる糞尿処理剤、ならびにそれを用いた糞尿の処理方法（特許文献５参照）などが提案されている。
【特許文献１】特開２００６−２９６９２５号公報
【特許文献２】特開２０００−１４９６号公報
【特許文献３】特開２００６−２２３７２５号公報
【特許文献４】特開平１１−３００３２４号公報
【特許文献５】特開２００２−２１０４９６号公報
【発明の開示】
【発明が解決しようとする課題】
【０００６】
ところで、使い捨ての簡易便器を使用しても、そのまま廃棄したのでは臭気を発し、また衛生面から好ましくなく、環境を汚染する虞がある。したがって、特許文献４および５のような糞尿処理方法との併用によって糞尿を処理した後に、簡易便器を廃棄することが好ましい。
【０００７】
しかしながら、特許文献４に記載の処理方法は、微生物による処理であるため、処理能力に限界があり、処理速度も遅い等の問題がある。
【０００８】
また、特許文献５に記載の生石灰の微粒子を含む糞尿処理剤を用いて、その水和反応により糞尿を発熱処理しようとすると、使い捨ての簡易便器（特許文献１〜３参照）の場合には、反応熱で焦げて穴が開いたり、引火したりするなどの虞があるという問題がある。
【０００９】
そこで、本発明は、糞尿の発熱処理に適応して衛生的に廃棄して、使い捨て可能な簡易便器を安価に提供すること、糞尿処理簡易便器セットおよび簡易便器の使用方法を提供することを目的とする。
【課題を解決するための手段】
【００１０】
前記目的は、下記の手段により達成される。
【００１１】
（１）容器状に成形され、少なくとも糞尿を受ける内面が撥水性を有する撥水素材で形成された内材と、該内材の外側に配置される耐熱性又は断熱性を有する外材と、を備えてなることを特徴とする簡易便器。
【００１２】
（２）可燃性素材により形成された容器内に、前記外材を介して、前記内材を内装したことを特徴とする、（１）に記載の簡易便器。
【００１３】
（３）前記容器は蓋体を備え、該蓋体には前記容器内に投入される糞尿処理剤の撹拌開口部が開設されていることを特徴とする、（２）に記載の簡易便器。
【００１４】
（４）前記蓋体は、内蓋と、当該内蓋を上から覆う外蓋とを有し、前記内蓋及び前記外蓋の各一辺は前記容器の開口部にそれぞれ連接されていることを特徴とする、（３）に記載の簡易便器。
【００１５】
（５）前記内蓋と前記外蓋との間には、吸水材及び活性炭を配置するための空間が形成されていることを特徴とする、（４）に記載の簡易便器。
【００１６】
（６）前記蓋体は、前記容器と分離して形成されていることを特徴とする、（３）に記載の簡易便器。
【００１７】
（７）前記蓋体には、活性炭の挿入開口部が開設されていることを特徴とする、（６）に記載の簡易便器。
【００１８】
（８）前記内材が容器として折り畳み成形され、前記外材が既設便器内に内装可能な袋体であることを特徴とする、（１）に記載の簡易便器。
【００１９】
（９）前記内材の撥水面でない側の面に、前記外材が層状に形成され、これらが容器として折り畳み成形されることを特徴とする、（１）に記載の簡易便器。
【００２０】
（１０）前記撥水素材は、一方の面に樹脂層を有する可燃性素材であることを特徴とする、（１）から（９）のいずれか１つに記載の簡易便器。
【００２１】
（１１）前記外材は、８０℃以上４５０℃以下の温度において難燃性を有する素材を有することを特徴とする、（１）から（１０）のいずれか１つに記載の簡易便器。
【００２２】
（１２）前記（１）から（１１）のいずれか１つに記載の簡易便器と、該便器内に受けた糞尿を発熱処理する糞尿処理剤と、を備えていることを特徴とする糞尿処理簡易便器セット。
【００２３】
（１３）前記（５）に記載の簡易便器と、該便器内に受けた糞尿を発熱処理する糞尿処理剤と、吸水材と、活性炭と、を備えていることを特徴とする糞尿処理簡易便器セット。
【００２４】
（１４）前記糞尿処理剤が、少なくとも、疎水性の被覆剤で表面処理した生石灰および発熱剤を含む粉体剤であることを特徴とする（１２）または（１３）に記載の糞尿処理簡易便器セット。
【００２５】
（１５）前記（１）に記載の簡易便器に糞尿を受け、該便器内の糞尿と糞尿処理剤とを混合して、発熱反応により糞尿を処理することを特徴とする簡易便器の使用方法。
【００２６】
（１６）前記（５）に記載の簡易便器に糞尿を受け、前記内蓋を閉じて当該内蓋の上に吸水材を載せると共に、当該吸水材の上に活性炭を載せ、当該活性炭の上から前記外蓋を閉じ、該便器内の糞尿と糞尿処理剤とを混合して、発熱反応により糞尿を処理することを特徴とする簡易便器の使用方法。
【００２７】
（１７）前記簡易便器を既設便器の便座内に配置することを特徴とする（１５）または（１６）に記載の簡易便器の使用方法。
【００２８】
（１８）前記簡易便器の前記外材を既設便器内に内装した後、該外材内に前記内材を配置して糞尿を受け、前記糞尿処理剤により糞尿を処理することを特徴とする（１５）に記載の簡易便器の使用方法。
【００２９】
（１９）前記糞尿処理剤により糞尿を発熱処理する際に、前記簡易便器の上部開口部を蓋体で覆うことを特徴とする（１５）に記載の簡易便器の使用方法。
【００３０】
（２０）前記糞尿処理剤が、少なくとも、疎水性の被覆剤で表面処理した生石灰および発熱剤を含む粉体剤であることを特徴とする（１５）から（１９）のいずれか１項に記載の簡易便器の使用方法。
【発明の効果】
【００３１】
本発明に係る簡易便器によれば、糞尿を受ける容器状の内材が撥水素材で形成され、その少なくとも糞尿が接触する内面が撥水性を有するので、内材内に受けた糞尿の水分が外に漏れ出ることはない。また、内材の外側に耐熱性又は断熱性を有する外材が配置されているので、内材の内側で発生した熱から保護することができる。したがって、内材内に受けた糞尿に糞尿処理剤を混合して、発熱反応により糞尿を処理しても、簡易便器が反応熱で焦げて穴が開いたり、引火したりするのを防止することができる。よって、糞尿の発熱処理に適応して衛生的に廃棄して、使い捨て可能な簡易便器を安価に提供することができる。
【００３２】
また、糞尿処理簡易便器セットによれば、糞尿を発熱処理する糞尿処理剤と、発熱処理しても焦げて穴が開いたり、引火したりしない簡易便器と、を組み合わせているので、糞尿の発熱処理後に衛生的に簡易便器を廃棄しうる。
【００３３】
また、本発明に係る簡易便器の使用方法によれば、簡易便器に受けた糞尿と糞尿処理剤とを混合することにより、処理後において、糞尿を粉末化できるため、取り扱い性に優れ、輸送コストが安価である等の利点を有する。
【発明を実施するための最良の形態】
【００３４】
以下、本発明の実施の形態を図面に基づいて説明する。
【００３５】
〔第１の実施形態の簡易便器〕
図１は本発明に係る簡易便器の第１の実施形態を示す斜視図である。図２は第１の実施形態の簡易便器の内部構造を示す模式図である。図３は第１の実施形態の簡易便器の使用状態を示す平面図である。
【００３６】
図１および図２を参照して、本発明に係る簡易便器の基本形態は、容器状に成形され、撥水素材で形成された内材２と、この内材２の外側に配置される耐熱性又は断熱性を有する外材３と、を備えており、後述する第２および第３の実施形態においても同様である。第１の実施形態の簡易便器１は、具体的には、可燃性素材により形成された容器４内に、外材３を介して、内材２を内装している。
【００３７】
容器４は、例えば、底面が矩形で上面が開放された箱体状（上面が開放された中空直方体状）を呈しているが、他の形状であってもよく、容器形状は限定されない。例えば、図４に示すように、容器４の前方の幅を縮めて上方から見た形を台形としてもよい。このように構成することにより、使い勝手が良くなる。容器４を可燃性素材としたのは、焼却物としての廃棄を可能にするためであり、例えば、ダンボール紙、ボール紙、または木材等が挙げられるが、本実施形態では、軽量化を考慮するとダンボール紙で成形することが好ましい。
【００３８】
内材２は糞尿を直接受ける部材であり、少なくとも糞尿を受ける内面（糞尿接触面）が撥水性を有する撥水素材により形成されている。内材２としては、例えば、紙、ビニール、木材等の可燃性素材の一方の面にシリコン樹脂等の樹脂をコーティングまたはラミネート等したものが挙げられ、特に剥離紙（離型紙）が好適に用いられる。
【００３９】
前記容器４と内材２との間に介設される外材３は、例えば、８０℃以上４５０℃以下の温度において難燃性（耐熱性）、又は断熱性を有する素材により形成されており、前記内材２の外側に配置されて、内材２の耐熱性又は断熱性、および強度を補っている。８０℃以上の温度で難燃性を要求するのは、後述する糞尿処理剤の水和反応により系内が８０℃〜９５℃に達するからである。４５０℃以下の温度で難燃性を要求するのは、後述する糞尿処理剤が粉体であるため系内で熱が伝達され難く、その水和反応による発熱時に局部的に２００℃〜４００℃近くに上昇していると推察されるからである。耐熱性素材としては、例えば、エアフォームやポリエステル，ナイロン，ポリエチレン等にアルミニウム箔を蒸着したアルミ蒸着フィルム材、ナイロン蒸着ビニール材、ガラスやセラミック，シリカ，アルミナ等の繊維材、ポリエチレンテレフタレート（ＰＥＴ）等の樹脂ラミネート紙、ポリエチレン（ＰＥ）等の樹脂発泡断熱紙、またはエンボス加工紙スリーブ、ポリエチレン（ＰＥ）やポリプロピレン（ＰＰ），エチレンビニルアルコール共重合体（ＥＶＯＨ）等の樹脂加工材などが挙げられる。なお、外材３として、厚めのダンボール紙を使用することも可能である。このように構成すれば、断熱効果を得ることができると共に、コストを低減することも可能となる。
【００４０】
すなわち、箱体状の容器４内に、外材３および内材２が層状に重ね合わされている。図１および図３を参照して、外材３および内材２を備えた容器４は、その上部開口部を覆う蓋体５を備えており、この蓋体５の略中央部には、簡易便器１内に後述する糞尿処理剤を投入し、へら等を挿入して糞尿と混合して撹拌するための撹拌開口部６が開設されている。本実施形態では、蓋体５は容器４と分離して形成されている。なお、撹拌開口部６は楕円形状を呈しているが、長円孔や長方形孔など形状は限定されない。
【００４１】
なお、外材３および内材２を備えた容器４の上部開口部を蓋体５で覆ったまま排便を行うことも可能であり、この場合には、撹拌開口部６を排便取入れ口として使用することができ、例えば、既設便器１０の便座１１内に配置して使用し、その際に排便取入れ口は使用者が排便し易い部位に位置するように開設される。
【００４２】
また、この蓋体５の撹拌開口部６の長手方向両側には、活性炭９の挿入開口部７が開設されている。この挿入開口部７は一対の矩形状の長孔として形成されているが、その形状、数、開設位置は限定されない。活性炭９は、例えば、不織布等の袋内に収容されている。活性炭９は、前記挿入開口部７を覆うように上方から装着される。なお、活性炭９は、前記挿入開口部７の位置に蓋体５の内側から装着されてもよい。
【００４３】
排便取入れ口６および挿入開口部７には、臭気漏れ等を防止するため、例えば、内部を視認可能な無色透明、有色透明、または半透明のナイロン（登録商標）を蒸着した耐熱性ビニール等の保護シート８が蓋体５の内側から装着されている。この保護シート８は、糞尿処理剤を投入したり、撹拌用のへら等を挿入し易いように、例えば、その幅方向中央部においてシート同士が重なり合うように装着されている。
【００４４】
なお、前述したように、内材２がシート状やフィルム状である場合には、本実施形態のように、前記容器４内に、外材３を介して、内材２を内装する。しかし、これに限るものではなく、例えば、内面側に樹脂コーティングまたは樹脂ラミネートしたダンボール紙等を材料として、内材２自体を箱体状の容器として形成し、その外側を外材３で覆う構造に形成し、前記容器４を省略してもよい。
【００４５】
以上のように構成された第１の実施形態の簡易便器１によれば、糞尿を受ける内材２の少なくとも糞尿が接触する内面が撥水性を有する撥水素材で形成されているので、内材２内に受けた糞尿の水分が内材２の外に漏れ出ることはない。また、内材２の外側に耐熱性又は断熱性を有する外材３が配置されているので、内材２の内側で発生した熱から保護することができる。また、強度を外材３により補うことができる。したがって、後述するように、内材２内に受けた糞尿と糞尿処理剤とを混合して、糞尿処理剤に含まれる生石灰の水和反応する際、糞尿処理剤が粉体剤であるため系内が局部的に２００℃〜４００℃近くの温度に上昇しても、簡易便器１が反応熱で焦げて穴が開いたり、引火するのを防止することができる。このように本実施形態によれば、糞尿の発熱処理に適応して衛生的に廃棄して、使い捨て可能な簡易便器１を安価に提供することができる。
【００４６】
また、この簡易便器１は、後述する糞尿処理剤と組み合わせて、糞尿処理簡易便器セットとしても構成することができる。この糞尿処理簡易便器セットによれば、糞尿を発熱処理する糞尿処理剤と、この糞尿処理剤により発熱処理しても焦げて穴が開いたり、引火したりしない簡易便器１と、を組み合わせているので、糞尿の発熱処理後に衛生的に使用後の簡易便器を廃棄しうる。糞尿処理剤の具体的成分については後述する。
【００４７】
次に、前述のように構成された第１の実施形態の簡易便器１の使用方法を説明する。
【００４８】
図３（ａ）を参照して、第１の実施形態の簡易便器１は、例えば、既設便器１０の便座１１内に配置して使用される。このように簡易便器１を前記便座１１内に配置する場合、糞尿を受け易いように、蓋体５を取った状態で配置する。これに限定されるものではなく、外材３および内材２を備えた容器４の上部開口部を蓋体５で覆ったままで簡易便器１を使用する場合には、簡易便器１の蓋体５の撹拌開口部６を排便取入れ口として使用し、この排便取入れ口は使用者が排便し易い部位に位置することになる。これらは、使用状態の一例であり、例えば、介護ベッドなどトイレット以外の場所で使用しても構わない。
【００４９】
第１の実施形態の簡易便器１における内材２内に使用者の排便を受けた後、外材３および内材２を備えた容器４の上部開口部を蓋体５で覆い、内材２内の糞尿に撹拌開口部６から糞尿処理剤を添加し、この撹拌開口部６からへら等を挿入して糞尿と糞尿処理剤とを混合して、発熱反応により糞尿を処理する。糞尿処理剤は、疎水性の被覆剤で表面処理した生石灰および発熱剤を含む粉体剤であり、さらに必要に応じて、吸水材および／または添加剤を含有していてもよい。以下、糞尿処理剤の構成成分について詳述する。
【００５０】
（表面処理される生石灰）
本発明で用いられる表面処理される生石灰（ＣａＯ）の形態は、特に限定されないが、大便に対して効果的に分散させるという観点から、粉粒状であることが好ましい。また、その平均粒径は、０．１μｍ〜５ｍｍの範囲であることが好ましく、０．５μｍ〜２ｍｍの範囲であることがより好ましく、１μｍ〜１ｍｍの範囲であることが特に好ましい。前記表面処理される生石灰の平均粒径が０．１μｍ未満である場合には、製造が困難となり生産コストが高くなる場合がある。一方、５ｍｍより大きい場合には、得られる糞尿処理剤と糞尿との接触面積が減少し、反応効率が低下する場合がある他、糞尿処理時に塊状物が生じ、未反応物が残存する場合がある。また、必要に応じて、前記表面処理される生石灰は、平均粒径の異なる２種以上の生石灰を組み合わせて使用してもよい。なお、本発明において、前記平均粒径は、粒度分布測定装置により測定した値を採用するものとする。
【００５１】
（疎水性の被覆剤）
本発明で用いられる疎水性の被覆剤は、該被覆剤を使用して生石灰の表面を処理した際に、生石灰に対して疎水性を付与することができ、かつ、被覆後の生石灰を粉粒状にし易くする化合物であることが好ましい。
【００５２】
前記被覆剤の具体例としては、例えば、パラフィン、ステアリルアミン、高級脂肪酸、高級脂肪酸の塩、または高級脂肪酸のエステルからなる群より選択される少なくとも１種の化合物などが挙げられ、これらの中でも、高級脂肪酸、高級脂肪酸の塩、および高級脂肪酸エステルからなる群より選択される少なくとも１種の化合物であることが好ましい。かかる高級脂肪酸としては、炭素数８〜２６の一価または多価の飽和脂肪酸または不飽和脂肪酸が好ましく、炭素数８〜２４の一価または多価の飽和脂肪酸または不飽和脂肪酸がより好ましく、炭素数１０〜２０の一価の飽和脂肪酸が特に好ましい。前記高級脂肪酸の具体例としては、カプリル酸、ペラルゴン酸、カプリン酸、ラウリン酸、ミリスチン酸、パルミチン酸、ステアリン酸、アラキン酸、リグノセリン酸、オレイン酸、リノール酸、リノレン酸、アラキドン酸などが挙げられる。前記高級脂肪酸の塩の具体例としては、アンモニウム塩；ナトリウム塩、カリウム塩などのアルカリ金属塩；またはカルシウム塩、マグネシウム塩などの第２族の金属塩などが挙げられる。また、前記高級脂肪酸のエステルの具体例としては、メチルエステル、エチルエステル、ｎ−プロピルエステル、イソプロピルエステル、ｎ−ブチルエステル、ｓｅｃ−ブチルエステル、ｔｅｒｔ−ブチルエステル、イソブチルエステル、ｎ−ヘキシルエステルなどのアルキルエステル；またはシクロヘキシルエステルなどのシクロアルキルエステルなどが挙げられる。
【００５３】
被覆剤の使用量は、表面処理される生石灰に対し、０．０１〜１０質量％の範囲であることが好ましく、０．１〜３質量％の範囲であることがより好ましく、０．４〜１．５質量％の範囲であることが特に好ましい。被覆剤の使用量が、０．０１質量％未満である場合には、糞尿処理時に、十分な反応遅延効果が得られず、急激に反応が進行し、均一な混合ができないために塊状物が生成する他、反応生成物の疎水性が保たれず、水分の混入等により元の糞尿の形態に戻る虞がある。一方、１０質量％を超える場合には、生石灰の活性表面積が減少するため効率的に反応が進行しない虞がある他、コストが高くなる虞がある。
【００５４】
（疎水性の被覆剤で表面処理した生石灰）
疎水性の被覆剤で表面処理した生石灰の製造方法は、本発明の糞尿処理剤およびそれを用いた糞尿処理方法に悪影響を及ぼさない限り、特に限定されない。具体的には、例えば、被覆剤の融点よりも高い温度において、生石灰粉末と被覆剤とを混合する方法、または被覆剤の融点より若干低い温度に保持した生石灰粉末に、攪拌下、前記被覆剤の溶融物を噴霧する方法等が好ましく挙げられる。また、前記生石灰は、通常、炭酸カルシウムを焼成して製造されるため、焼成により得られた生石灰を所定の温度まで冷却した後、前記の表面処理方法に付すこともまた好ましい。前記の表面処理した生石灰は、必要に応じて、異なる使用量の被覆剤を用いて表面処理した生石灰を、２種以上組み合わせて使用してもよい。
【００５５】
前記の表面処理した生石灰の形状は、特に限定されないが、粉粒状であることが好ましい。また、その平均粒径は、０．１μｍ〜５ｍｍの範囲であることが好ましく、０．５μｍ〜２ｍｍの範囲であることがより好ましく、１μｍ〜１ｍｍの範囲であることが特に好ましい。
【００５６】
（発熱剤）
本発明で用いられる発熱剤は、本発明の簡易便器の使用方法において悪影響を及ぼさない限り、特に制限されず、公知の発熱剤を使用することができるが、糞尿処理の系内において、水分、空気、または消石灰（Ｃａ（ＯＨ）２）等との反応により発熱し、前記被覆剤の溶融に必要な熱量を供給しうる物質であることが好ましい。かかる発熱剤の具体例としては、例えば、生石灰、粉体アルミニウム、酸化アルミニウム、酸化マグネシウム、または無水塩化マグネシウム等が挙げられる。これらの化合物は単独でもまたは２種以上を組み合わせて使用してもよい。
【００５７】
これらの中でも、糞尿処理にも寄与できるという観点から、生石灰を用いることが好ましい。この場合の生石灰の使用量は、前記表面処理した生石灰１００質量部に対して、２０〜２００質量部の範囲であることが好ましく、処理後の処理物を粉末として得るという観点から、２５〜１５０質量部の範囲であることがより好ましく、２５〜１００質量部の範囲であることが特に好ましい。生石灰の使用量が２０質量部未満である場合には、発熱量が少なく、前記表面処理した生石灰の活性化が効率的に行えないために、糞尿処理時間が長くなる虞がる。一方、生石灰の使用量が２００質量部を超える場合には、発生する過剰な熱量により、前記表面処理した生石灰が即座に活性化され、塊状物が生じ、未反応物が残存する虞がある。
【００５８】
しかしながら、前記発熱剤の使用量は、前記の発熱剤が生石灰である場合の使用量に制限されず、前記被覆剤の種類および使用量、ならびに発熱剤の種類などに基づき適宜調整可能である。
【００５９】
また、発熱剤として生石灰を用いる場合、形状は特に限定されないが、粉粒状であることが好ましい。また、その平均粒径は０．１μｍ〜５ｍｍであることが好ましく、０．５μｍ〜２ｍｍであることがより好ましい。
【００６０】
なお、前記の疎水性の被覆剤で表面処理した生石灰が、糞尿処理時に水分等との反応による凝集を起こさず、かつ、糞尿処理時の混合条件により効率的に粉砕されうる場合、または前記疎水性の被覆剤の欄で述べたような物理的および／もしくは化学的機構により、被覆剤で表面処理した生石灰の表面から被覆剤が剥離され、活性面が露出した生石灰と糞尿との反応により、本発明で使用される前記表面処理した生石灰の表面に存在する被覆剤溶融に必要な熱量が供給されうる場合等においては、前記の表面処理した生石灰を発熱剤として使用することも可能である。
【００６１】
（吸水材）
本発明の糞尿処理剤は、吸水材をさらに含むことが好ましい。本発明で用いられうる吸水材は、活性な生石灰と糞尿との反応を制御する観点、すなわち、糞尿中に含まれる水分が、一度に生石灰の活性表面と反応して凝集により塊状物を生成し、未反応の糞尿が残存することを抑制する観点から添加されるものである。前記吸水材は、本発明の糞尿処理剤およびそれを用いた糞尿処理方法において悪影響を及ぼさない限り、特に制限はなく、公知の物質を使用することができるが、吸水性を有し、かつ吸水した水分が、生石灰の活性表面との接触において反応しうる物質であることが好ましい。かかる吸水材の例としては、例えば、おが屑、水溶紙、繊維束、不織布、ピートモス、または草炭等が挙げられる。これらは単独でもまたは２種以上を組み合わせて使用してもよい。吸水材の使用量は、吸水材の種類や形状、および被処理物である糞尿中に含まれる水分量などにより適宜調整可能であるが、糞尿処理剤１００質量部に対して、１〜１０質量部の範囲であることが好ましく、２〜６質量部の範囲であることがより好ましい。
【００６２】
（添加剤）
本発明の糞尿処理剤は、本発明の糞尿処理剤およびそれを用いた糞尿処理方法において悪影響を及ぼさない限り、吸水材に代えてまたは吸水材に加えてその他の添加剤をさらに含有していてもよい。かかる添加剤の例としては、臭気対策の観点から、香料、消臭剤、または脱臭剤；前記表面処理した生石灰の水に対する濡れ性を向上させるという観点から、アルコール等の親水性有機化合物、または界面活性剤；糞尿中の水分含量を制御するという観点から、シリカゲル、無水硫酸ナトリウム等の乾燥剤、吸水性樹脂等の保水剤等が挙げられる。これらの添加剤は、単独でもまたは２種以上を組み合わせて使用してもよい。
【００６３】
前記香料の例としては、例えば、レモンオイル、レモングラス、シナモン油、ラベンダー油、ベチパー等が挙げられる。
【００６４】
前記界面活性剤としては、各種の界面活性剤を使用することができ、その具体的な例としては、例えば、ポリオキシエチレンアルキルエーテル、ポリオキシエチレンアルキルフェニルエーテル、ポリオキシエチレンモノ脂肪酸エステル、ポリオキシエチレンジ脂肪酸エステル、ポリオキシエチレンプロピレングリコール脂肪酸エステル、ポリエチレンソルビタンモノ脂肪酸エステル、グリセリンモノ脂肪酸エステルなどのノニオン系界面活性剤；アルキルベンゼンスルホン酸塩、アルキルスルホサクシネート、アルキルサルフェート、ポリオキシエチレンアルキルサルフェート、アリールスルホネートなどのアニオン系界面活性剤；長鎖第１級アミン塩、ジアルキルジメチルアンモニウム塩、アルキルトリメチルアンモニウム塩、ベンジルトリメチルアンモニウムクロリド、アルキルピリジニウム塩、ベンザルコニウムクロリド、ベンゼトニウムクロリドなどのカチオン系界面活性剤；または塩酸アルキルジアミノエチルグリシン、塩酸アルキルポリアミノエチルグリシンなどの両性系界面活性剤等が挙げられる。
【００６５】
また、糞尿処理剤を糞尿に添加する際に用いられうる、後述の水溶性樹脂からなる包袋、水溶紙からなる包袋、または水解性不織布からなる包袋も、本発明の糞尿処理剤の添加剤として含有されうる。
【００６６】
（糞尿処理剤）
本発明の糞尿処理剤の調製方法は、特に制限されず、例えば、疎水性の被覆剤で表面処理した生石灰、および発熱剤を混合し、必要に応じて、さらに吸水材および／または所望の添加剤を混合する方法等が挙げられる。
【００６７】
前記表面処理した生石灰は、疎水性の被覆剤で被覆されているため、得られる糞尿処理剤の耐湿性が高まるだけではなく、糞尿処理時に糞尿と接触してもすぐには反応を起こさない反応遅延性を有していることから、生石灰の活性表面と直ちに接触して塊状物等を生成することがない。したがって、糞尿と本発明の糞尿処理剤とは均一に混合されうる。しかし、前記被覆剤として高級脂肪酸、特に炭素数が１５〜２６である高級脂肪酸を使用した場合には疎水性がより高く、水分を多く含有する糞尿と混合すると攪拌が困難となる場合がある。このような場合には、粉体の攪拌を容易にするという観点から、界面活性剤等の添加剤または比較的疎水性の低い高級脂肪酸の塩、特に炭素数が８〜１４である高級脂肪酸の塩を糞尿処理剤にさらに添加して使用してもよい。
【００６８】
前記糞尿処理剤を糞尿に添加する方法としては、特に限定されないが、取り扱いの容易性等の観点から、例えば、前記糞尿処理剤を予め包袋に入れておき、糞尿処理時に前記包袋をそのまま糞尿に添加する方法が好ましい。この場合の包袋は、糞尿処理時に糞尿処理剤が糞尿に効率的に拡散するよう、水溶性樹脂からなる包袋、水溶紙からなる包袋、または水解性不織布からなる包袋であることが好ましい。なお、これらの態様を含め、前記糞尿処理剤は、耐湿、耐水条件下で保存することが好ましい。
【００６９】
次に、前記糞尿処理剤を用いた糞尿処理について説明する。
【００７０】
前述したように、糞尿処理は、簡易便器１の内材２内に受けた糞尿と前記糞尿処理剤と糞尿とを混合して行う。糞尿は、大便単独でもよいし、小便単独でもよいし、大便と小便との混合物であってもよい。
【００７１】
前記糞尿処理剤の使用量は、被処理物である糞尿１００質量部に対し、１〜２００質量部の範囲であることが好ましく、１０〜１５０質量部の範囲であることがより好ましく、８０〜１２０質量部であることがさらに好ましい。前記使用量が、１質量部未満である場合には、糞尿の吸着処理が十分に行えず、未反応物が残存してしまう虞がある。一方、２００質量部より多い場合には、処理効率が悪くなる虞がある。
【００７２】
糞尿処理は、本発明の簡易便器の使用方法に悪影響を及ぼさない限り、特に制限されず、例えば、トイレット内において簡易便器１内の糞尿に前記糞尿処理剤を添加し攪拌する処理方法、またはベランダ、風呂場、庭先等のトイレット外に簡易便器１を移動させて、簡易便器１内の糞尿に前記糞尿処理剤を添加し攪拌する処理方法などが挙げられる。
【００７３】
前記のような処理により発熱剤が糞尿との反応により発熱して、前記表面処理した生石灰の被覆剤を溶融し生石灰の活性表面を露出させ、前記生石灰が、さらに糞尿中の水分と反応して発熱すると共に、反応生成物である水酸化カルシウムが糞尿を吸着することにより処理後の物質は粉末として得られる。こうして得られた処理後の粉末は、前記被覆剤の効果により疎水性を有し、雨水等の水分の混入等によっても元の糞尿の形態に戻ることはない。また、前記の処理系内は、温度が８０〜９５℃にも達し、かつ、強アルカリ性であるため糞尿中の菌を殺菌することができ、処理後の物質の腐敗による悪臭の発生を抑制することができる。
【００７４】
〔第２の実施形態の簡易便器〕
次に、本発明に係る簡易便器の第２の実施形態について説明する。図５は第２の実施形態の容器の斜視図である。以下、第１の実施形態と相違する点について説明し、共通する点については適宜説明を省略する。
【００７５】
図５に示すように、第２の実施形態の容器４０は、第１の実施形態と同様に、底面が矩形で上面が開放された箱体状（上面が開放された中空直方体状）を呈している。但し、第１の実施形態では、蓋体５は容器４と分離して形成されているが、第２の実施形態では、蓋体４１は、内蓋４２と、当該内蓋４２を上から覆う外蓋４３とを有し、内蓋４２及び外蓋４３の各一辺は容器４０の開口部４４にそれぞれ連接されている。
【００７６】
一対の内蓋４２は、開口部４４の対向する一対の辺にそれぞれ連接されている。図５に示すように、内蓋４２には切り欠き４５が形成されている。
【００７７】
図６は、内方に折り曲げられた内蓋の平面図である。図６に示すように、一対の内蓋４２が開口部４４に向けて内方に折り曲げられると、中央に内蓋窓４６が形成される。但し、内蓋４２は、必ずしも一対のでなくてもよく、開口部４４の全体を覆うことが可能な、中央に内蓋窓４６が形成された１枚の板状の蓋であってもよい。なお、一対の内蓋４２の先端部近傍４２ａ同士は、例えば両面接着剤等により接合される。但し、一対の内蓋４２の先端部近傍４２ａ双方に係合部を形成して相互に係合させてもよい。
【００７８】
外蓋４３は、開口部４４の内蓋４２が連接される２つの辺の間の辺に連接されている。この外蓋４３は、開口部４４側の遊び部４７と、中央に外蓋窓５０が形成された遊び部４７に連接された本体部４８と、本体部４８に連接され開口部４４に挿入され得る爪部４９とを有している。図７は、内方に折り曲げられた外蓋の平面図である。図５に示すように、遊び部４７と本体部４８との間には、折り曲げ線５１が形成されている。遊び部４７の幅は例えば２ｃｍ程度が好ましい。
【００７９】
外蓋窓５０には、臭気漏れ等を防止するため、例えば、内部を視認可能な無色透明、有色透明、または半透明のナイロン（登録商標）を蒸着した耐熱性ビニール等の保護シートが外蓋４３の内側から装着されていることが好ましい。この保護シートは、糞尿処理剤を投入したり、撹拌用のへら等を挿入し易いように、例えば、その幅方向中央部においてシート同士が重なり合うように装着されていることが好ましい。
【００８０】
図８は、内蓋の上面に吸水材及び活性炭をセットした状態を示す側面図、図９は、図８の右方向から見た図である。図９に示すように、折り曲げ線５１に沿って外蓋４３を内方に折り曲げると、内蓋４２と外蓋４３との間には、吸水材５２及び活性炭９を配置するための空間が形成される。
【００８１】
活性炭９は、例えば、不織布等の袋内に収容されている。
【００８２】
吸水材５２は、スポンジのように水分を吸収する布等のシート状部材である。材質としては、例えばアクリル等が挙げられる。条件としては、水蒸気の熱で変質しない材質が望ましい。
【００８３】
使用の際には、簡易便器に糞尿を受け、内蓋４２を閉じた後、内蓋４２の上に吸水材５２が載せられ、吸水材５２の上に活性炭９が載せられる。続いて、活性炭９の上から外蓋４３が閉じられる。なお、外部からへら等を挿入するために蓋体４１の中央部を塞がないように吸水材５２および活性炭９を形成ないし配置することが好ましい。吸水材５２および活性炭９は、それぞれ、１枚ものであっても、複数個に分割されたものであってもよい。そして、該便器内の糞尿と糞尿処理剤とを混合して、発熱反応により糞尿を処理する。
【００８４】
このように活性炭９の下に吸水材５２を配置すれば、活性炭９の孔が初期に水蒸気で塞がってしまうために臭気ガスの吸着が低下することが防止される。
【００８５】
第２の実施形態の簡易便器は、基本的に第１の実施形態と同様の作用効果を奏するが、特に第２の実施形態によれば、容器の形態がより簡易となり、例えば平面状に折り畳んだ状態で保管も可能となる。
【００８６】
図１０は、第２の実施形態の容器の変形例の斜視図である。図１０に示す容器４０ａは、外蓋４３が先端側、すなわち爪部４９の外側にミシン目５４を介して、へらを製作し得るへら用部分５３をさらに有している点で、図５の容器４０と相違している。
【００８７】
使用の際には、図１１に示すように、外蓋４３から、へら用部分５３をミシン目５４に沿って切り取る。切り取られたへら用部分５３のミシン目５５に沿って切り目を入れ、一対の折り曲げ線５６に沿って上方に折り曲げると、図１２に示すようなへらが製作される。このように、へらが簡単かつ容易に製作できるので、利便性が向上する。
【００８８】
第１の実施形態および第２の実施形態において、容器４、４０、４０ａは、底面が四角形で上面が開放された箱体を呈しているが、本発明はこれに限定されるものではない。例えば、本発明の容器は、上面が開放された中空円柱体、中空楕円柱体等の他の形状であってもよく、容器の形状は限定されない。
【００８９】
図１３は、上面が開放された中空の長円柱体である容器の一例を示す斜視図、図１４は、図１３の容器の側面の展開図を示す図である。この場合、例えば底面および蓋体としてダンボール紙等の各種板材が使用され得る。
【００９０】
容器６０の側面６１は、差し込んで結合するための爪部６２と、爪部６２が差し込まれ得る複数のスリット６３とを有している。このように構成すれば、爪部６２を差し込む位置を適宜変更することにより容器６０の大きさを調整することができ、利便性が向上する。
【００９１】
〔第３の実施形態の簡易便器〕
次に、本発明に係る簡易便器の第３の実施形態について説明する。図１５は第３の実施形態の簡易便器の使用状態を示す模式図である。図１６は第３の実施形態における内材の折り畳み手順を示す模式図である。
【００９２】
前述したように、本発明に係る簡易便器は、撥水素材で形成された内材２と、この内材２の外側に配置される耐熱性又は断熱性を有する外材３と、を備えている。図１５を参照して、第３の実施形態の簡易便器２１は、具体的には、内材２が容器として折り畳み成形され、外材３が既設便器１０内に内装可能な袋体２３により構成されている。
【００９３】
内材２は、折り畳んだ状態で保管され、使用時には内部に空間ができるように開口縁部Ｆを拡げて容器状に成形される（図１６（ｅ）参照）。撥水素材としては、前述したように、例えば、紙、ビニール等の可燃性素材における一方の面にシリコン樹脂等の樹脂をコーティングまたはラミネート等したものが挙げられる。特に、本実施形態の内材２は容器状に折り畳み成形されるので、折り畳み成形し易いシート状またはフィルム状の撥水素材であることが好ましく、例えば、剥離紙（離型紙）が好適に用いられる。
【００９４】
図１６を参照して、シート状またはフィルム状の内材２の折り畳み手順を説明する。この折り畳み構造は内材２を容器２４として折り畳み成形する一例であり、その構造や折り畳み手順等は限定されない。
【００９５】
内材２は、例えば、正方形の剥離紙であって、上面（表面）に撥水加工が施されている。この内材２は、図１６（ａ）のような展開した状態で、ＳＬ、Ｌ１、Ｌ２、Ｌ３、Ｌ４の各ラインを想定する。
【００９６】
まず、図１６（ｂ）のように、正方形の対角線上のセンターラインＳＬを基準として、内側（上面側）へ折り畳んで直角二等辺三角形を作成する。次に、図１６（ｃ）のように、直角二等辺三角形の両側に左右対称に斜めに立ち上がった傾斜線Ｌ１およびＬ２を基準として、直角二等辺三角形の両側端部を内側へ折り畳んで重ね合わせ、五角形を作成する。次に、図１６（ｄ）のように、横線Ｌ３およびＬ４を基準として、五角形の上部に位置する直角二等辺三角形の部分を上面側（表面側）と下面側（裏面側）との相反する方向へそれぞれ折り畳んで重ね合わせ、逆台形を作成する。内材２は、この状態でも容器状に折り畳まれているが、図１６（ｅ）のように、開口縁部Ｆを外側へ折り返すことにより、開口縁部Ｆを補強でき、各折り畳み片を折り畳んだ状態に維持できる。そして、開口縁部Ｆを拡げれば、内材２は容器２４として成形されることになる（以下、「内材容器２４」ともいう。）。
【００９７】
外材３の耐熱素材としては、８０℃以上４５０℃以下の温度において難燃性（耐熱性）を有する素材、例えば、エアフォームやポリエステル，ナイロン，ポリエチレン等にアルミニウム箔を蒸着したアルミ蒸着フィルム材、ナイロン蒸着ビニール材、ガラスやセラミック，シリカ，アルミナ等の繊維材、ポリエチレンテレフタレート（ＰＥＴ）等の樹脂ラミネート紙、ポリエチレン（ＰＥ）等の樹脂発泡断熱紙、またはエンボス加工紙スリーブ、ポリエチレン（ＰＥ）やポリプロピレン（ＰＰ），エチレンビニルアルコール共重合体（ＥＶＯＨ）等の樹脂加工材などが挙げられ、これらを利用して袋体２３として形成される。特に袋体２３は既設便器１０の内側に沿って内装されるので、既設便器１０の内形状に沿い易い柔軟性を有していることが好ましく、例えば、少なくとも内面にナイロンを蒸着したビニール袋が好適に用いられる。
【００９８】
第３の実施形態の簡易便器２１は、基本的に第１の実施形態および第２の実施形態の簡易便器と同様の作用効果を奏するが、特に第３の実施形態によれば、容器２４として成形される内材２が折り畳み可能であり、外材３が袋体２３であるため、不使用時の保管場所を取らない。
【００９９】
また、この簡易便器２１も、糞尿処理剤と組み合わせて、糞尿処理簡易便器セットとしても構成することができる。この糞尿処理簡易便器セットによれば、糞尿を発熱処理する糞尿処理剤と、この糞尿処理剤により発熱処理しても焦げて穴が開いたり、引火したりしない簡易便器２１と、を組み合わせているので、糞尿の発熱処理後に衛生的に使用後の簡易便器２１を廃棄しうる。
【０１００】
次に、前述のように構成された第２の実施形態の簡易便器２１の使用方法を説明する。
【０１０１】
図１５を参照して、第３の実施形態の簡易便器２１の使用方法は、例えば、前記簡易便器２１を構成する耐熱性素材の外材３としての袋体２３（ナイロン蒸着ビニール袋）を既設便器１０の内側に沿って内装し、該袋体２３の開口縁部を外側へ折り返して便座上を覆うように拡げる。既設便器１０の内側に袋体２３を内装した後、該袋体２３内において、便座内に位置するように撥水素材の容器２４として折り畳み成形した内材２を配置する。そして、この状態で使用者が排便することにより、内材容器２４内に糞尿を受ける。排便後、トイレット内またはトイレット外において、内材容器２４の耐熱性を補うべく、内材容器２４の周囲に外材３としての袋体２３を密着させ、内材容器２４内の糞尿に糞尿処理剤を添加し、へら等で混合して、発熱反応により糞尿を処理する。糞尿処理剤には、第１の実施形態において詳述したと同一のもの、すなわち、疎水性の被覆剤で表面処理した生石灰および発熱剤を含む粉体剤であって、必要に応じて、吸水材および／または添加剤を含有するものを用いる。したがって、第３の実施形態の簡易便器２１の使用方法においても、糞尿処理剤は水和反応により糞尿を発熱処理することになる。この糞尿処理剤を用いた糞尿処理において、糞尿処理剤の使用量、撹拌方法、混合開始温度、処理場所等は第１の実施形態の使用方法と同様である。
【０１０２】
第３の実施形態の簡易便器２１の使用方法は、基本的に第１の実施形態および第２の実施形態の使用方法と同様の作用効果を奏するが、特に第３の実施形態の使用方法によれば、糞尿の発熱処理後に袋体２３の開口部を結んで閉じることにより、使用済みの内材容器２４および処理後の物質を袋体２３内に密封することができ、より衛生的であり、廃棄も容易である。
【０１０３】
〔第４の実施形態の簡易便器〕
次に、本発明に係る簡易便器の第４の実施形態について説明する。図１７は第４の簡易便器の使用状態を示す模式図である。
【０１０４】
図１７を参照して、第４の実施形態の簡易便器３１は、具体的には、撥水素材の内材２の撥水面でない側の面に、耐熱性素材の外材３が層状に重ね合わされて形成され、これらが容器３４として折り畳み成形されている。内材２と外材３とは、内材２の外側に外材３をコーティング、ラミネート、蒸着等により一体形成したシート状またはフィルム状の素材であってもよいし、単にシート状またはフィルム状の内材２と外材３とを重ね合わせたものであっても構わない。
【０１０５】
内材２および外材３は、例えば、図１６に示したような折り畳み手順によって容器３４として折り畳み成形される。内材２は、折り畳んだ状態で保管され、使用時には内部に空間ができるように開口縁部Ｆを拡げて容器状に成形される（図１６（ｅ）参照）。
【０１０６】
内材２としては、前述したように、例えば、紙、ビニール等の可燃性素材における一方の面にシリコン樹脂等の樹脂をコーティングまたはラミネート等したものが挙げられ、剥離紙（離型紙）が好適に用いられる。外材３としては、８０℃以上４５０℃以下の温度において難燃性（耐熱性）を有する素材、例えば、エアフォームやポリエステル，ナイロン，ポリエチレン等にアルミニウム箔を蒸着したアルミ蒸着フィルム材、ナイロン蒸着ビニール材、ガラスやセラミック，シリカ，アルミナ等の繊維材、ポリエチレンテレフタレート（ＰＥＴ）等の樹脂ラミネート紙、ポリエチレン（ＰＥ）等の樹脂発泡断熱紙、またはエンボス加工紙スリーブ、ポリエチレン（ＰＥ）やポリプロピレン（ＰＰ），エチレンビニルアルコール共重合体（ＥＶＯＨ）等の樹脂加工材などが挙げられる。特に、本実施形態の内材２および外材３は容器３４として折り畳み成形されるので、折り畳み成形し易いシート状またはフィルム状の素材であることが好ましい。
【０１０７】
また、内材２および外材３により折り畳み成形された容器３４には、糞尿を処理する際に該容器３４の上部開口部を覆う蓋体３５が備えられている。この蓋体３５は、例えば、ダンボール紙により形成されている。
【０１０８】
第４の実施形態の簡易便器３１は、基本的に第３の実施形態の簡易便器２１と同様の作用効果を奏するが、特に第４の実施形態によれば、内材２および外材３が容器３４として折り畳み成形されるので、第３の実施形態の袋体２３が不要であり、使用に際して煩雑でない。
【０１０９】
また、この簡易便器３１も、糞尿処理剤と組み合わせて、糞尿処理簡易便器セットとしても構成することができる。この糞尿処理簡易便器セットによれば、糞尿を発熱処理する糞尿処理剤と、この糞尿処理剤により発熱処理しても焦げて穴が開いたり、引火したりしない簡易便器３１と、を組み合わせているので、糞尿の発熱処理後に衛生的に使用後の簡易便器３１を廃棄しうる。
【０１１０】
次に、前述のように構成された第４の実施形態の簡易便器３１の使用方法を説明する。
【０１１１】
図１７を参照して、第４の実施形態の簡易便器３１の使用方法は、例えば、既設便器１０の便座内に位置するように、内材２および外材３を折り畳み成形した容器３４を配置する。そして、この状態で使用者が排便することにより、容器３４内に糞尿を受ける。排便後、トイレット内またはトイレット外において、この容器３４内の糞尿に糞尿処理剤を混合して、発熱反応により糞尿を処理する。その際、容器３４の上部開口部を蓋体３５で覆う。糞尿処理剤には、第１の実施形態の簡易便器１の使用方法において詳述したと同一のもの、すなわち、疎水性の被覆剤で表面処理した生石灰および発熱剤を含む粉体剤であって、必要に応じて、吸水材および／または添加剤を含有するものを用いる。したがって、第４の実施形態の簡易便器３１の使用方法においても、糞尿処理剤は水和反応により糞尿を発熱処理することになる。この糞尿処理剤を用いた糞尿処理において、糞尿処理剤の使用量、撹拌方法、混合開始温度、処理場所等は第１の実施形態の使用方法と同様である。
【０１１２】
第４の実施形態の簡易便器３１の使用方法は、基本的に第３の実施形態の使用方法と同様の作用効果を奏するが、特に第４の実施形態の使用方法によれば、糞尿を発熱処理する際に容器３４の上部開口部を蓋体３５で覆うので、水蒸気の飛散を防止することができ、その後も使用済み容器３４の上部開口部を覆うことにより衛生的である。
【０１１３】
本発明は、上述した実施形態のみに限定されるものではなく、特許請求の範囲内において、種々改変することができる。例えば糞尿処理剤としては、上記実施形態のものに必ずしも限定されるものではなく、例えば生石灰から構成された糞尿処理剤等の任意の形態の糞尿処理剤が使用され得る。
【産業上の利用可能性】
【０１１４】
本発明は、トイレットの関連分野に好適に用いられうる。
【図面の簡単な説明】
【０１１５】
【図１】本発明に係る簡易便器の第１の実施形態を示す斜視図である。
【図２】第１の実施形態の簡易便器の内部構造を示す模式図である。
【図３】第１の実施形態の簡易便器の使用状態を示す平面図である。
【図４】容器の平面形状の一例を示す図である。
【図５】第２の実施形態の容器の斜視図である。
【図６】内方に折り曲げられた内蓋の平面図である。
【図７】図７は、内方に折り曲げられた外蓋の平面図である。
【図８】内蓋の上面に吸水材及び活性炭をセットした状態を示す側面図である。
【図９】図８の右方向から見た図である。
【図１０】第２の実施形態の容器の変形例の斜視図である。
【図１１】へら用部分を示す図である。
【図１２】製作されたへらの斜視図である。
【図１３】上面が開放された中空の長円柱体である容器の一例を示す斜視図である。
【図１４】図１３の容器の側面の展開図を示す図である。
【図１５】第３の簡易便器の使用状態を示す模式図である。
【図１６】第３の実施形態における内材の折り畳み手順を示す模式図である。
【図１７】第４の簡易便器の使用状態を示す模式図である。
【符号の説明】
【０１１６】
１    簡易便器、
２    内材、
３    外材、
４    容器、
５    蓋体、
６    排便取入れ口、
７    挿入開口部、
８    保護シート、
９    活性炭、
１０    既設便器、
１１    便座、
２１    簡易便器、
２３    袋体、
２４    容器、
３１    簡易便器、
３４    容器、
３５    蓋体
４０、４０ａ、６０    容器、
４１    蓋体、
４２    内蓋、
４３    外蓋、
４６    内蓋窓、
５０    外蓋窓、
５２    吸水材。
【図１】
2009011448.tif 000003
【図２】
2009011448.tif 000004
【図３】
2009011448.tif 000005
【図４】
2009011448.tif 000006
【図５】
2009011448.tif 000007
【図６】
2009011448.tif 000008
【図７】
2009011448.tif 000009
【図８】
2009011448.tif 000010
【図９】
2009011448.tif 000011
【図１０】
2009011448.tif 000012
【図１１】
2009011448.tif 000013
【図１２】
2009011448.tif 000014
【図１３】
2009011448.tif 000015
【図１４】
2009011448.tif 000016
【図１５】
2009011448.tif 000017
【図１６】
2009011448.tif 000018
【図１７】
2009011448.tif 000019